(57)【特許請求の範囲】
【請求項１】
高級セラミックタイルの平坦度と逆光度の検測計器であって、主体を含み、前記主体の中には前方に開口した作動空間が設置され、前記作動空間の頂壁にはチェック空間が設置され、前記チェック空間の頂壁において左から右まで順次に横移動スライド溝と、前記チェック空間と前記照射空間とが設置され、前記横移動スライド溝の頂壁には開口空間が設置され、前記照射空間の頂側には動力空間が設置され、前記照射空間と前記開口空間との間には逆光度を検測できる検測装置が設置され、
前記検測装置は前記照射空間の前後側壁に回転可能に装着された旋転軸を含み、前記旋転軸の後ろ側には紫外線ランプが設置され、前記旋転軸の前側には第一傘歯車が固定的に設置され、前記開口空間の前後側壁には駆動軸が回転可能に連結され、前記駆動軸の後ろ側には駆動歯車が固定的に設置され、前記駆動軸の前側には第二傘歯車が固定的に設置され、前記横移動スライド溝の左側壁にはスライド板溝が形成され、前記スライド板溝の中には移動スライド板がスライド可能に連結され、前記移動スライド板と前記スライド板溝との間には復帰ばねが連結され、前記移動スライド板の右側には前記横移動スライド溝とスライド可能に連結された横移動ブロックが固定的に連結され、前記横移動ブロックの頂面が前記駆動歯車と噛み合っており、前記横移動ブロックの内壁の中にはセンサーが固定的に設置され、前記センサーの底面には蛍光板が固定的に設置され、
前記動力空間の中には検測装置の回転を制御する制御装置が設置され、前記チェック空間の頂側には水箱が設置され、前記水箱の後ろ側壁には水注ぎ口が設置され、前記水箱と前記チェック空間との間には平坦度を検測できるチェック装置が設置され、前記作動空間の中にはセラミックタイルを挟持する固定装置が設置されていることを特徴とする高級セラミックタイルの平坦度と逆光度の検測計器。
【請求項２】
前記制御装置は前記動力空間の頂壁に固定的に装着された動力モータを含み、前記動力モータの底側には前記動力空間の底壁と前記開口空間の頂壁と回転可能に連結された動力軸が伝動可能に連結され、前記動力軸が下方に延在して前記動力空間の底壁を貫通して前記開口空間の中に入って前記開口空間の頂壁と回転可能に連結され、前記動力軸の底側には前記第二傘歯車と噛み合った第三傘歯車が固定的に設置され、前記動力空間の上下側壁には縦軸が回転可能に連結され、前記縦軸が下方に延在して前記動力空間の底壁を貫通して前記照射空間の中に入って前記照射空間の頂壁と回転可能に連結され、前記縦軸の底側には第一傘歯車と噛み合った第四傘歯車が固定的に設置され、前記縦軸と前記動力軸において前記動力空間の中には連結プーリが左右対称に且つ固定的に設置され、前記連結プーリの間には連結ベルトが連結されていることを特徴とする請求項１に記載の高級セラミックタイルの平坦度と逆光度の検測計器。
【請求項３】
前記チェック装置は前記チェック空間の後ろ側壁に固定的に装着されたチェックモータを含み、前記チェックモータの中にはモータ軸が伝動可能に連結され、前記モータ軸にはモータ歯車が固定的に設置され、前記チェック空間の頂壁には前記水箱と連通した伸縮管が設置され、前記伸縮管の下側には前記モータ歯車と噛み合った歯竿水管が固定的に設置され、前記歯竿水管の下側にはチェックブロックが固定的に設置され、前記チェックブロックの中には前記歯竿水管と連通した溝が形成され、前記溝の底壁には下方に開口した出水口が設置され、前記溝の中には細軸が左右対称に且つ回転可能に連結され、前記細軸には前記歯竿水管を封じる止板が固定的に設置され、前記溝の中には前記止板と当接した凸起ブロックは左右対称に且つスライド可能に連結され、前記溝の片側壁には位置制限空間が設置され、前記位置制限空間の中には前記凸起ブロックと固定的に連結されたばねブロックがスライド可能に連結されていることを特徴とする請求項１に記載の高級セラミックタイルの平坦度と逆光度の検測計器。
【請求項４】
前記固定装置は前記作動空間の底壁に固定的に装着された昇降モータを含み、前記昇降モータの中には短軸が伝動可能に連結され、前記短軸の上側には第五傘歯車が固定的に設置され、前記作動空間の左右側壁には横向き親ネジが対称に且つ回転可能に連結され、前記横向き親ネジの片側には前記第五傘歯車と噛み合った第六傘歯車が固定的に設置され、前記横向き親ネジには前記作動空間の底壁とスライド可能に連結されたネジ山ブロックがネジ山によって連結され、前記ネジ山ブロックにはヒンジ連結棒がヒンジで繋がれ、前記ヒンジ連結棒の片側には移動棒がヒンジで繋がれ、前記移動棒の頂面には前記作動空間の片側壁とスライド可能に連結された挟持ブロックが固定的に設置されていることを特徴とする請求項１に記載の高級セラミックタイルの平坦度と逆光度の検測計器。
【請求項５】
前記作動空間の頂面には前記挟持ブロックと対向した固定ブロックが左右対称に且つ固定的に設置され、前記固定ブロックは前記挟持ブロックと協働してセラミックタイルを固定できることを特徴とする請求項４に記載の高級セラミックタイルの平坦度と逆光度の検測計器。
【請求項６】
前記主体の左側面には表示装置が固定的に設置され、前記表示装置と前記センサーとが無線により接続され、前記センサーは前記蛍光板の変色状況を無線により前記表示装置に表示できることを特徴とする請求項１に記載の高級セラミックタイルの平坦度と逆光度の検測計器。
【請求項７】
前記固定ブロックと前記挟持ブロックとが樹脂材料から作られ、一定の硬度を保証した上に、柔軟度を持つことを特徴とする請求項５に記載の高級セラミックタイルの平坦度と逆光度の検測計器。
【請求項８】
前記伸縮管はプラスチック材質であることを特徴とする請求項３に記載の高級セラミックタイルの平坦度と逆光度の検測計器。
【請求項９】
前記駆動歯車の直径は前記第二傘歯車の直径より少し大きくすることを特徴とする請求項１に記載の高級セラミックタイルの平坦度と逆光度の検測計器。
【発明の詳細な説明】
【技術分野】
【０００１】
本願発明はセラミックタイルの検測分野に関し、具体的には高級セラミックタイルの平坦度と逆光度の検測計器に関する。
【背景技術】
【０００２】
耐火の金属酸化物及び半金属酸化物を、研磨、混合、プレス、釉掛け、焼結して作られた酸やアルカリに強い、瓷器又は石質の建築又は装飾材料をセラミックタイルと呼ぶのである。生活レベルの向上に伴い、セラミックタイルに対する品質上の要求が高くなり、使用前にその平坦度と逆光度などのデータを検測するようになる。現在は一般的には簡単の水準器と灯光により検測を行うが、大概の平坦度しか検測できず、もっと細かい粗度を検測できない。従い、生産効率を高めるため、本願発明は高級セラミックタイルの平坦度と逆光度の検測計器を提供する。
【先行技術文献】
【特許文献】
【０００３】
【特許文献１】中国特許出願公開第１０７３１５０４９号明細書
【発明の概要】
【発明が解決しようとする課題】
【０００４】
本願発明は高級セラミックタイルの平坦度と逆光度の検測計器を提供し、背景技術における上記問題を解決する。
【課題を解決するための手段】
【０００５】
高級セラミックタイルの平坦度と逆光度の検測計器であって、主体を含み、前記主体の中には前方に開口した作動空間が設置され、前記作動空間の頂壁にはチェック空間が設置され、前記チェック空間の頂壁において左から右まで順次に横移動スライド溝と、前記チェック空間と前記照射空間とが設置され、前記横移動スライド溝の頂壁には開口空間が設置され、前記照射空間の頂側には動力空間が設置され、前記照射空間と前記開口空間との間には逆光度を検測できる検測装置が設置され、
前記検測装置は前記照射空間の前後側壁に回転可能に装着された旋転軸を含み、前記旋転軸の後ろ側には紫外線ランプが設置され、前記旋転軸の前側には第一傘歯車が固定的に設置され、前記開口空間の前後側壁には駆動軸が回転可能に連結され、前記駆動軸の後ろ側には駆動歯車が固定的に設置され、前記駆動軸の前側には第二傘歯車が固定的に設置され、前記横移動スライド溝の左側壁にはスライド板溝が形成され、前記スライド板溝の中には移動スライド板がスライド可能に連結され、前記移動スライド板と前記スライド板溝との間には復帰ばねが連結され、前記移動スライド板の右側には前記横移動スライド溝とスライド可能に連結された横移動ブロックが固定的に連結され、前記横移動ブロックの頂面が前記駆動歯車と噛み合っており、前記横移動ブロックの内壁の中にはセンサーが固定的に設置され、前記センサーの底面には蛍光板が固定的に設置され、
前記動力空間の中には検測装置の回転を制御する制御装置が設置され、前記チェック空間の頂側には水箱が設置され、前記水箱の後ろ側壁には水注ぎ口が設置され、前記水箱と前記チェック空間との間には平坦度を検測できるチェック装置が設置され、前記作動空間の中にはセラミックタイルを挟持する固定装置が設置されている。
【０００６】
有益的に、前記制御装置は前記動力空間の頂壁に固定的に装着された動力モータを含み、前記動力モータの底側には前記動力空間の底壁と前記開口空間の頂壁と回転可能に連結された動力軸が伝動可能に連結され、前記動力軸が下方に延在して前記動力空間の底壁を貫通して前記開口空間の中に入って前記開口空間の頂壁と回転可能に連結され、前記動力軸の底側には前記第二傘歯車と噛み合った第三傘歯車が固定的に設置され、前記動力空間の上下側壁には縦軸が回転可能に連結され、前記縦軸が下方に延在して前記動力空間の底壁を貫通して前記照射空間の中に入って前記照射空間の頂壁と回転可能に連結され、前記縦軸の底側には第一傘歯車と噛み合った第四傘歯車が固定的に設置され、前記縦軸と前記動力軸において前記動力空間の中には連結プーリが左右対称に且つ固定的に設置され、前記連結プーリの間には連結ベルトが連結されている。
【０００７】
前記チェック装置は前記チェック空間の後ろ側壁に固定的に装着されたチェックモータを含み、前記チェックモータの中にはモータ軸が伝動可能に連結され、前記モータ軸にはモータ歯車が固定的に設置され、前記チェック空間の頂壁には前記水箱と連通した伸縮管が設置され、前記伸縮管の下側には前記モータ歯車と噛み合った歯竿水管が固定的に設置され、前記歯竿水管の下側にはチェックブロックが固定的に設置され、前記チェックブロックの中には前記歯竿水管と連通した溝が形成され、前記溝の底壁には下方に開口した出水口が設置され、前記溝の中には細軸が左右対称に且つ回転可能に連結され、前記細軸には前記歯竿水管を封じる止板が固定的に設置され、前記溝の中には前記止板と当接した凸起ブロックは左右対称に且つスライド可能に連結され、前記溝の片側壁には位置制限空間が設置され、前記位置制限空間の中には前記凸起ブロックと固定的に連結されたばねブロックがスライド可能に連結されている。
【０００８】
有益的に、前記固定装置は前記作動空間の底壁に固定的に装着された昇降モータを含み、前記昇降モータの中には短軸が伝動可能に連結され、前記短軸の上側には第五傘歯車が固定的に設置され、前記作動空間の左右側壁には横向き親ネジが対称に且つ回転可能に連結され、前記横向き親ネジの片側には前記第五傘歯車と噛み合った第六傘歯車が固定的に設置され、前記横向き親ネジには前記作動空間の底壁とスライド可能に連結されたネジ山ブロックがネジ山によって連結され、前記ネジ山ブロックにはヒンジ連結棒がヒンジで繋がれ、前記ヒンジ連結棒の片側には移動棒がヒンジで繋がれ、前記移動棒の頂面には前記作動空間の片側壁とスライド可能に連結された挟持ブロックが固定的に設置されている。
【０００９】
有益的に、前記作動空間の頂面には前記挟持ブロックと対向した固定ブロックが左右対称に且つ固定的に設置され、前記固定ブロックは前記挟持ブロックと協働してセラミックタイルを固定できる。
【００１０】
有益的に、前記主体の左側面には表示装置が固定的に設置され、前記表示装置と前記センサーとが無線により接続され、前記センサーは前記蛍光板の変色状況を無線により前記表示装置に表示できる。
【００１１】
有益的に、前記固定ブロックと前記挟持ブロックとが樹脂材料から作られ、一定の硬度を保証した上に、柔軟度を持つ。
【００１２】
有益的に、前記伸縮管はプラスチック材質である。
【００１３】
有益的に、前記駆動歯車の直径は前記第二傘歯車の直径より少し大きくする。
【発明の効果】
【００１４】
以上に述べるごとく、本願発明の有益効果は：本願発明は高級セラミックタイルの平坦度と逆光度を検測でき、伝統的な計器に比べ、逆光度と平坦度を同時に検測でき、より高い実用度を有する上に、普通の水準器より、セラミックタイルの平滑度を検測できる。本願発明は樹脂材料によりセラミックタイルを固定し、検測結果に保障をつけると同時に、高級セラミックタイルを損害せず、財産上の損失を避ける。また、本願発明は物理的方法でセラミックタイルの平坦度を検測することで、もっと直観的に検測結果を得られるに加え、表示装置とセンサーにより逆光度を直接に得られ、記録と観察に便利を与える。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体断面の正面構成図
【図２】図２は図１のＡの局部拡大図
【図３】図３は図２のＢの局部拡大図
【図４】図４は図１の正面図
【発明を実施するための形態】
【００１７】
図１〜４の示したように、高級セラミックタイルの平坦度と逆光度の検測計器であって、主体２１を含み、前記主体２１の中には前方に開口した作動空間３７が設置され、前記作動空間３７の頂壁にはチェック空間５７が設置され、前記チェック空間５７の頂壁において左から右まで順次に横移動スライド溝４７と、前記チェック空間５８と前記照射空間３２とが設置され、前記横移動スライド溝４７の頂壁には開口空間２６が設置され、前記照射空間３２の頂側には動力空間２３が設置され、前記照射空間３２と前記開口空間２６との間には逆光度を検測できる検測装置１０１が設置され、前記検測装置１０１は前記照射空間３２の前後側壁に回転可能に装着された旋転軸３４を含み、前記旋転軸３４の後ろ側には紫外線ランプ３６が設置され、前記旋転軸３４の前側には第一傘歯車３５が固定的に設置され、前記開口空間２６の前後側壁には駆動軸５１が回転可能に連結され、前記駆動軸５１の後ろ側には駆動歯車５０が固定的に設置され、前記駆動軸５１の前側には第二傘歯車５２が固定的に設置され、前記横移動スライド溝４７の左側壁にはスライド板溝４８が形成され、前記スライド板溝４８の中には移動スライド板６２がスライド可能に連結され、前記移動スライド板６２と前記スライド板溝４８との間には復帰ばね４９が連結され、前記移動スライド板６２の右側には前記横移動スライド溝４７とスライド可能に連結された横移動ブロック５９が固定的に連結され、前記横移動ブロック５９の頂面が前記駆動歯車５０と噛み合っており、前記横移動ブロック５９の内壁の中にはセンサー６０が固定的に設置され、前記センサー６０の底面には蛍光板６１が固定的に設置され、前記動力空間２３の中には検測装置１０１の回転を制御する制御装置１０２が設置され、前記チェック空間５８の頂側には水箱２７が設置され、前記水箱２７の後ろ側壁には水注ぎ口２９が設置され、前記水箱２７と前記チェック空間５８との間には平坦度を検測できるチェック装置１０３が設置され、前記作動空間３７の中にはセラミックタイルを挟持する固定装置１０４が設置されている。
【００１８】
前記制御装置１０２は前記動力空間２３の頂壁に固定的に装着された動力モータ２５を含み、前記動力モータ２５の底側には前記動力空間２３の底壁と前記開口空間２６の頂壁と回転可能に連結された動力軸２２が伝動可能に連結され、前記動力軸２２が下方に延在して前記動力空間２３の底壁を貫通して前記開口空間２６の中に入って前記開口空間２６の頂壁と回転可能に連結され、前記動力軸２２の底側には前記第二傘歯車５２と噛み合った第三傘歯車５３が固定的に設置され、前記動力空間２３の上下側壁には縦軸３０が回転可能に連結され、前記縦軸３０が下方に延在して前記動力空間２３の底壁を貫通して前記照射空間３２の中に入って前記照射空間３２の頂壁と回転可能に連結され、前記縦軸３０の底側には第一傘歯車３５と噛み合った第四傘歯車３３が固定的に設置され、前記縦軸３０と前記動力軸２２において前記動力空間２３の中には連結プーリ２４が左右対称に且つ固定的に設置され、前記連結プーリ２４の間には連結ベルト２８が連結されることで、前記動力モータ２５を起動すると、前記動力空間２３と前記第三傘歯車５３と前記連結プーリ２４と前記縦軸３０と前記第四傘歯車３３とが回転する。
【００１９】
前記チェック装置１０３は前記チェック空間５８の後ろ側壁に固定的に装着されたチェックモータ６５を含み、前記チェックモータ６５の中にはモータ軸３１が伝動可能に連結され、前記モータ軸３１にはモータ歯車６４が固定的に設置され、前記チェック空間５８の頂壁には前記水箱２７と連通した伸縮管６３が設置され、前記伸縮管６３の下側には前記モータ歯車６４と噛み合った歯竿水管７２が固定的に設置され、前記歯竿水管７２の下側にはチェックブロック６７が固定的に設置され、前記チェックブロック６７の中には前記歯竿水管７２と連通した溝６９が形成され、前記溝６９の底壁には下方に開口した出水口６６が設置され、前記溝６９の中には細軸７１が左右対称に且つ回転可能に連結され、前記細軸７１には前記歯竿水管７２を封じる止板７０が固定的に設置され、前記溝６９の中には前記止板７０と当接した凸起ブロック６８は左右対称に且つスライド可能に連結され、前記溝６９の片側壁には位置制限空間７３が設置され、前記位置制限空間７３の中には前記凸起ブロック６８と固定的に連結されたばねブロック７４がスライド可能に連結され、前記チェックモータ６５を起動すると、前記モータ軸３１と前記モータ歯車６４が連動して回転し、前記歯竿水管７２が下方に移動し、前記チェックブロック６７が下方に移動することで、前記凸起ブロック６８がセラミックタイルに接触する時、前記凸起ブロック６８が上方に移動し、前記止板７０が回転し、前記溝６９と前記出水口６６とが連通し、水が下方に流れることができ、もしセラミックタイルの表面が平坦ではなければ、水が前記チェックブロック６７とセラミックタイルとの間の隙間から流れ出る。
【００２０】
前記固定装置１０４は前記作動空間３７の底壁に固定的に装着された昇降モータ４０を含み、前記昇降モータ４０の中には短軸３９が伝動可能に連結され、前記短軸３９の上側には第五傘歯車５５が固定的に設置され、前記作動空間３７の左右側壁には横向き親ネジ４２が対称に且つ回転可能に連結され、前記横向き親ネジ４２の片側には前記第五傘歯車５５と噛み合った第六傘歯車５６が固定的に設置され、前記横向き親ネジ４２には前記作動空間３７の底壁とスライド可能に連結されたネジ山ブロック４１がネジ山によって連結され、前記ネジ山ブロック４１にはヒンジ連結棒４３がヒンジで繋がれ、前記ヒンジ連結棒４３の片側には移動棒４４がヒンジで繋がれ、前記移動棒４４の頂面には前記作動空間３７の片側壁とスライド可能に連結された挟持ブロック４５が固定的に設置されていることで、セラミックタイルを前記挟持ブロック４５の頂面に置いてから前記昇降モータ４０を起動すると、前記短軸３９と前記第五傘歯車５５と前記第六傘歯車５６と前記横向き親ネジ４２とが回転し、前記ネジ山ブロック４１が両側へ移動することで、前記ヒンジ連結棒４３と前記移動棒４４とが前記挟持ブロック４５とセラミックタイルを上方に移動する。
【００２１】
前記作動空間３７の頂面には前記挟持ブロック４５と対向した固定ブロック４６が左右対称に且つ固定的に設置され、前記固定ブロック４６は前記挟持ブロック４５と協働してセラミックタイルを固定できる。
【００２２】
前記主体２１の左側面には表示装置５４が固定的に設置され、前記表示装置５４と前記センサー６０とが無線により接続され、前記センサー６０は前記蛍光板６１の変色状況を無線により前記表示装置５４に表示できる。
【００２３】
前記固定ブロック４６と前記挟持ブロック４５とが樹脂材料から作られ、一定の硬度を保証した上に、柔軟度を持ち、セラミックタイルを押し壊すことを防止する。
【００２４】
前記伸縮管６３はプラスチック材質であり、伸縮しやすい。
【００２５】
前記駆動歯車５０の直径は前記第二傘歯車５２の直径より少し大きくすることで、前記紫外線ランプ３６が発する紫外線は前記横移動ブロック５９の中に入ることができる。
【００２６】
セラミックタイルを検測する時、水注ぎ口２９から水箱２７の中に水を注いでからセラミックタイルを挟持ブロック４５の頂面に置き、昇降モータ４０を起動すると、短軸３９と第五傘歯車５５と第六傘歯車５６と横向き親ネジ４２とが回転し、ネジ山ブロック４１が両側へ移動することで、ヒンジ連結棒４３と移動棒４４とが挟持ブロック４５とセラミックタイルを上方に移動し、固定ブロック４６は挟持ブロック４５と協働してセラミックタイルを固定でき、そして紫外線ランプ３６をつけることで、紫外線がセラミックタイルを通って横移動ブロック５９の中に反射されて蛍光板６１に照射されると、蛍光板６１が変色し、センサー６０は蛍光板６１の変色状況を無線により表示装置５４に表示し、変色の転化率によって区域の逆光度を得て、逆光度の検測が完了する。
セラミックタイルの平坦度を検測する時、動力モータ２５を起動すると、動力空間２３と第三傘歯車５３と連結プーリ２４と縦軸３０と第四傘歯車３３とが回転することで、第一傘歯車３５と旋転軸３４と紫外線ランプ３６とが回転し、第二傘歯車５２と駆動軸５１と駆動歯車５０とが回転し、横移動ブロック５９が左方に移動することで、照射ポイントが変わり、再び逆光度を検測し、逆光度の検測を終えた後、チェックモータ６５を起動すると、モータ軸３１とモータ歯車６４とが回転することで、歯竿水管７２が下方に移動し、チェックブロック６７が下方に移動し、凸起ブロック６８がセラミックタイルと接触する時、凸起ブロック６８が上方に移動することで、止板７０が回転し、溝６９が出水口６６と連通し、水が下方に流れることができ、もしセラミックタイルの表面が平坦ではなければ、水がチェックブロック６７とセラミックタイルとの間の隙間から流れ出て、これにより平坦度をチェックする。
【００２７】
上記実施例は本願発明の技術発想と特徴を説明するためだけで、本分野当業者たちに本願発明を理解し実施していただくことを目的とし、本願発明の請求範囲を制限するものではない。本願発明に基づいて実質に変わりがない変化は本願発明の請求範囲にカバーされる。
【要約】
【課題】本発明は高級セラミックタイルの平坦度と逆光度の検測計器を開示した。
【解決手段】主体を含み、前記主体の中には前方に開口した作動空間が設置され、前記作動空間の頂壁にはチェック空間が設置され、前記チェック空間の頂壁において左から右まで順次に横移動スライド溝と、前記チェック空間と前記照射空間とが設置され、前記横移動スライド溝の頂壁には開口空間が設置され、前記照射空間の頂側には動力空間が設置され、前記照射空間と前記開口空間との間には逆光度を検測できる検測装置が設置され、前記検測装置は前記照射空間の前後側壁に回転可能に装着された旋転軸を含み、前記旋転軸の後ろ側には紫外線ランプが設置され、前記旋転軸の前側には第一傘歯車が固定的に設置され、前記開口空間の前後側壁には駆動軸が回転可能に連結され、前記駆動軸の後ろ側には駆動歯車が固定的に設置される。
【選択図】図１【図１】
0006714222.tif 000002
【図２】
0006714222.tif 000003
【図３】
0006714222.tif 000004
【図４】
0006714222.tif 000005